(57)【要約】【課題】  高い剛性と優れた断面効率の蓋版を備え且つがたの発生が少ない側溝を提供することになる。【解決手段】  側溝ブロック１の上方開口部２を蓋版７で閉蓋した際に、前記蓋版７の両側面部分の下方部８ｂが前記側溝ブロック１の蓋受部４に形成した水路内側に向かって下がる下降傾斜面４ａと接するとゝもに、前記蓋版７の左右両側方向の下面が、中央部が両側部より厚さの薄い断面形状としたへ字型又はアーチ型の凹部を有し、前記蓋版の連結部８ｃと前記蓋受部４の水平部５との間に空隙ができる構成とした。  【選択図】    図２
2009013654.tif 000002
【特許請求の範囲】
【請求項１】
コンクリート製の側溝ブロックと、その上方開口部に設けた嵌合部にコンクリート製の蓋版を設置して前記上方開口部を閉蓋する側溝ブロックの閉蓋構造であって、前記側溝ブロックの嵌合部は、前記蓋版の両側面部分の下方部を受ける蓋受部と、その外縁に立設した両側面部分の上方部を収納する立壁部とから構成され、前記蓋受部は水平部とその内縁から水路内側に向かって下がる下降傾斜面を備え、一方前記蓋版は、左右の側面部分の下方部の一部が前記左右の下降傾斜面と接する面を有するとゝもに、左右両側方向の下面が、中央部が両側部より厚さの薄い断面としたへ字型又はアーチ型の凹部を有し、前記蓋版の上方部と下方部を繋ぐ連結部と前記蓋受部の水平部との間に空隙が出来る構成としたことを特徴とするコンクリート製側溝ブロックの閉蓋構造。
【請求項２】
前記蓋版は、左右の側面部分の下方部の一部が前記蓋受部の左右の下降傾斜面と点又は線で接触する曲面からなる突起又は凸条を備えたことを特徴とする請求項１記載のコンクリート製側溝ブロックの閉蓋構造。
【発明の詳細な説明】
【技術分野】
【０００１】
本発明は、蓋版のがたつきによる騒音の発生を防止したコンクリート製側溝ブロックの
閉蓋構造に関する。
【背景技術】
【０００２】
従来の側溝ブロック、例えば、図５に示すようなコンクリート製のＵ字溝ブロック１１
にあっては、その上方開口部１２に蓋版１７を嵌合によって設置することで閉蓋される。
このコンクリート製の蓋版１７を支えるために、前記上方開口部１２の側壁の内面を断面
Ｌ字状に切り欠いた形状、すなわち立壁部１６と水平な蓋受部１４とからなるＬ字形状の
嵌合部１３を備えている。
【０００３】
上記のような構成からなる嵌合部１３の水平な蓋受部１４に蓋版１７を載せたとき、左
右の蓋受部１４と蓋版１７の両側辺部下面との間に捩れ方向の相対誤差があったり、水平
な蓋受部１４にあって、左右，前後（長手方向）において高さに誤差があったり、或いは
左右の蓋受部１４と蓋版１７の両側辺部下面との間に異物が挟み込まれたような場合には
蓋版１７の一隅が浮いた状態となる。
【０００４】
このような状態にあって、自動車等の通行によって蓋版１７の浮いた部分に荷重が掛か
った時に、蓋版１７が蓋受部１４の上で揺動して騒音が発生する。またそのガタつきによ
る衝撃及び振動が蓋版１７及びＵ字溝ブロック１１にダメージを与え、劣化を早めるとい
う問題があった。
【０００５】
上記のような騒音の発生を防止ないし軽減するために、蓋受部１４と蓋版１７との間に
ゴムバッキン等の緩衝材１８を介装したり、或いは図６に示すように、Ｕ字溝ブロック１
１の嵌合部に、水路内側に向けて下がる平面ないし中凹円筒面とする蓋掛り１９を形成す
るとゝもに、各部分の断面が同一大きさとした蓋版２７の両側辺部下面を前記蓋掛り１９
の平面ないし中凹円筒面と密着する平面ないし中凸円筒面２０とする構成とすることが行
われている。
【０００６】
【特許文献１】特開平６ー２４８６８８号
【特許文献２】特開平１１−１３１５７８
【特許文献３】特開２００１−２１４５０６
【特許文献４】特開２００２−１１５３１１
【特許文献５】特開２００３−１２９５５７
【発明の開示】
【発明が解決しようとする課題】
【０００７】
しかし、図５に示すような嵌合部１３の水平な蓋受部１４と蓋版１７との間にゴムバッ
キン等の緩衝材１８を設置したものは摩耗や耐久性の点で問題がある。また、側溝上を車
両等が通行することにより蓋版１７に荷重がかかった場合、一般的な形状であるほゞ直方
体の蓋版にあっては、左右の蓋受部１４を支点として中央に曲げによるたわみ（一点鎖線
で示すような下方へ向け凸とするたわみ）が発生し、断面内の上側では圧縮応力が、下側
では引張応力がそれぞれ発生する。
【０００８】
コンクリート製の蓋版にあっては構造的に引張力に弱いため、この引張力に耐える得る
強度の構造体とするためには、蓋版１７の厚さ（鉄筋Ｔより上方のコンクリート層１７Ａ
の厚さ）を厚くし、またその中に埋め込まれる鉄筋Ｔの量も多くしなければならない。し
たがって、製造コストの面で不経済であるし、蓋版の総重量が大きくなり、また側溝内の
掃除などに伴う蓋版の開閉作業が困難であるといった問題点もある。
【０００９】
本願発明は、蓋版の側面部分の下部の一部を曲面に形成するとゝもに、これを受ける側
溝ブロックの蓋受部を斜面に形成し、蓋版を嵌合によって側溝ブロックの上方開口部に設
置した際に、蓋版の前記曲面と側溝ブロックの前記斜面とが密着して接触することでがた
つきの発生を防止するとゝもに、蓋版の幅方向の下面をへの字型に形成して中央部と両側
部の厚さが異なる構成とすることで、荷重がかかった際に断面内にほゞ一様な圧縮応力の
みの発生に止めて、高い剛性と優れた断面効率とするコンクリート製側溝ブロックの閉蓋
構造を提供することを課題としている。
【課題を解決するための手段】
【００１０】
上記の課題を解決するため、本発明に係るコンクリート製側溝ブロックの閉蓋構造は、
コンクリート製の側溝ブロックと、その上方開口部に設けた嵌合部にコンクリート製の蓋
版を設置して前記上方開口部を閉蓋する側溝ブロックの閉蓋構造であって、前記側溝ブロ
ックの嵌合部は、前記蓋版の両側面部分の下方部を受ける蓋受部と、その外縁に立設した
両側面部分の上方部を収納する立壁部とから構成され、前記蓋受部は水平部とその内縁か
ら水路内側に向かって下がる下降傾斜面を備え、一方前記蓋版は、左右の側面部分の下方
部の一部が前記左右の下降傾斜面と接する面を有するとゝもに、左右両側方向の下面が、
中央部が両側部より厚さの薄い断面としたへ字型又はアーチ型の凹部を有し、前記蓋版の
上方部と下方部を繋ぐ連結部と前記蓋受部の水平部との間に空隙が出来る構成としたこと
を特徴とする。
【発明の効果】
【００１１】
本発明は、上記のような構成とすることで、鉛直方向の荷重の大部分の力は圧縮応力の
みが支配的となり、曲げモーメントとせん断力が発生しにくい。この際、前記蓋版の連結
部と前記蓋受部の水平部との間に空隙が形成されているから、蓋版の側面下方部は常時蓋
受部の下降傾斜面と接することとなり、鉛直荷重はアーチ構造によって蓋受部の下降傾斜
面に圧縮力として伝達されるため、がたつきが押さえられる。
【００１２】
また、蓋版の左右の側面部分の下方部の一部が、蓋受部の左右の下降傾斜面と点又は線
で接触する曲面からなる突起又は凸条を備えるようにすることで、伝達される圧縮力が集
中されることになり、より効果的にがたつきが押さえられる。なお、曲げ応力が発生しに
くいため、たわみ挙動も少なくなり、たわみ挙動によるがたつきの発生も防止，軽減でき
るとゝもに、同じ大きさの鉛直方向の荷重がかかる場合であっても、より小さな断面（薄
い部材）及び重量の蓋版が使用可能となる。
【発明を実施するための最良の形態】
【００１３】
以下、本発明に係るコンクリート製側溝ブロックの閉蓋構造を図１ないし図４に示す一
実施形態に基づいて詳細に説明する。図において、１はコンクリート製のＵ字溝ブロック
で、上部に上方開口部２を備えており、該上方開口部２にコンクリート製の蓋版７を嵌合
によって設置することで、前記上方開口部２を閉成する嵌合部３が形成されている。
【００１４】
上記嵌合部３は、前記蓋版７の左右の側面部分８にあってその下方部８ｂを受ける蓋受
部４と、該蓋受部４の外縁から立設する前記蓋版７の側面部分８の上方部８ａを収納する
立壁部６とからそれぞれ構成されており、前記蓋受部４は水平部５とその内縁から水路内
側に向かって下がる下降傾斜面４ａで形成されている。
【００１５】
一方、前記蓋版７は、左右の側面部分８にあってその下方部８ｂが前記左右の下降傾斜
面４ａと点又は線で接触する曲面からなる突起又は凸条９を備えている。更に、この蓋版
７は、左右の両側方向（幅方向）の下面が、中央部が両側部より厚さの薄い断面形状とし
たへ字型又はアーチ型の凹部１０からなる構成としている。なお、図中Ｔは、コンクリー
ト製蓋版７の内部に設置されている鉄筋である。
【００１６】
そこで、Ｕ字溝ブロック１の上方開口部２を蓋版７で閉成する場合には、前記上方開口
部２の上方から蓋版７を入れ、嵌合部３内に蓋版７を設置する。蓋版７が嵌合部３内に設
置されることで、蓋版７の側面部分８にあってその下方部８ｂの一部に形成した突起又は
凸条９の先端と蓋受部４の下降傾斜面４ａとが点又は線で密着して接触する。これにより
蓋版７はがたつきがない状態でＵ字溝ブロック１の上方開口部２の嵌合部３に設置される
ことになる。このとき、蓋版７の側面部分８にあってその上方部８ａは嵌合部３の立壁部
６と、蓋版７の上方部８ａと下方部８ｂとを繋ぐ水平な連結部８ｃは蓋受部４の水平部５
とそれぞれ所望の空隙を介して対峙している。
【００１７】
Ｕ字溝ブロック１の上方開口部２の嵌合部３内に蓋版７が上記のような嵌合状態で設置
されている場合にあって、前記蓋版７に荷重Ｗが掛かった場合、蓋版７の上側には圧縮応
力が、下側には引っ張り応力がそれぞれ発生する。ここで、蓋版７はその幅方向の下面を
への字又はアーチ状に形成して中央部と両側部の厚さが均一でない構成とすることで、蓋
版７の下側に発生した前記引っ張り応力（外に開こうとする力）をＵ字溝ブロック１がそ
の下降傾斜面４ａで受け持つこととなり、蓋版７の断面内には一様な圧縮応力のみの発生
に止まることとなる。
【００１８】
このように、蓋版７は圧縮されることで軸力がかかり、応力計算上有利に働く構造の蓋
版となる。そのため、剛性が高くなって曲げが発生しにくく且つたわみ挙動も小さい。し
たがって、たわみによるがたつきの発生を防止，軽減できるとゝもに、同じ大きさの荷重
が掛かる場合であっても、より薄い断面構造（薄い部材）及び小さな重量からなる蓋版が
使用可能となる。
【図面の簡単な説明】
【００１９】
【図１】本発明の一実施形態に係る側溝構造を示す縦断面図である。
【図２】図１に示す側溝構造の作用を示す拡大部分図である。
【図３】図１に示す側溝構造の要部を拡大して示す断面部分図である。
【図４】蓋版を下方から見た斜視図である。
【図５】従来の側溝構造を示す縦断面図である。
【図６】従来の他の側溝構造を示す縦断面図である。
【符号の説明】
【００２０】
１  Ｕ字溝
２  上方開口部
３  嵌合部
４  蓋受部
４ａ  下降傾斜面
５  水平部
６  立壁部
７  蓋版
８  側面部分
８ａ  上方部
８ｂ  下方部
８ｃ  連結部
９  突起
１０  凹部
Ｔ  鉄筋
【図１】
2009013654.tif 000003
【図２】
2009013654.tif 000004
【図３】
2009013654.tif 000005
【図４】
2009013654.tif 000006
【図５】
2009013654.tif 000007
【図６】
2009013654.tif 000008
【手続補正書】
【提出日】平成19年7月11日(2007.7.11)
【手続補正１】
【補正対象書類名】図面
【補正対象項目名】図２
【補正方法】変更
【補正の内容】
【図２】
2009013654.tif 000009
【手続補正２】
【補正対象書類名】図面
【補正対象項目名】図３
【補正方法】変更
【補正の内容】
【図３】
2009013654.tif 000010